(57)【特許請求の範囲】
【請求項１】
無線ローカルエリアネットワーク（ＷＬＡＮ）利用に関連する帯域を少なくとも条件付きで利用する無線通信ネットワークにおいて動作するように構成されたネットワークノードであって、
前記帯域で動作する無線ローカルエリアネットワークアクセスポイント（ＷＬＡＮ  ＡＰ）の識別子を搬送するシグナリングを受信するように構成された１以上の通信インタフェースと、
前記１以上の通信インタフェースと動作可能に関連付けられ、前記ＷＬＡＮ  ＡＰの前記識別子に少なくとも部分的に基づいて、前記無線通信ネットワークによる前記帯域の利用に関するチャネル順位付け又はチャネル選択を実行するように構成された処理回路と、
を備え、
前記ＷＬＡＮ利用に関連する帯域が免許不要帯域である、ネットワークノード。
【請求項２】
前記処理回路が、前記ＷＬＡＮ  ＡＰが無線デバイスに知られている及び／又は無線デバイスが前記ＷＬＡＮ  ＡＰについてのセキュリティ証明書を有しているとの判定に応じて、前記ネットワークよりも前記ＷＬＡＮ  ＡＰを選択し、又は前記ネットワークよりも前記ＷＬＡＮ  ＡＰの選択の方に向けて選択処理にバイアスをかけるようにさらに構成されている、請求項１に記載のネットワークノード。
【請求項３】
前記処理回路は、前記ＷＬＡＮ  ＡＰの前記識別子が、前記ＷＬＡＮ  ＡＰはホットスポットＡＰ又はオペレータ系列のＡＰであることを示している場合、前記ＷＬＡＮ  ＡＰと関連するチャネルを選択することを避けるように、チャネル選択を実行するように構成されている、請求項１に記載のネットワークノード。
【請求項４】
無線ローカルエリアネットワーク（ＷＬＡＮ）利用に関連する帯域を少なくとも条件付きで利用する無線通信ネットワークにおいて動作するように構成されたネットワークノードであって、
前記帯域で動作する無線ローカルエリアネットワークアクセスポイント（ＷＬＡＮ  ＡＰ）の１以上のパラメータを搬送するシグナリングを受信するように構成された１以上の通信インタフェースと、
前記１以上の通信インタフェースと動作可能に関連付けられ、前記通信インタフェースを介して受信された前記１以上のパラメータのうちの１つとして、以下のパラメータ：
前記ＷＬＡＮ  ＡＰによって利用され又はサポートされているＷｉ−Ｆｉの１以上のバージョンの指標と、
前記ＷＬＡＮ  ＡＰがホットスポットＡＰであるかどうかの指標と、
前記ＷＬＡＮ  ＡＰがインフラストラクチャＡＰであるかどうかの指標と、
前記ＷＬＡＮ  ＡＰについてのＷｉ−Ｆｉビーコン期間及び／又はデータ速度の１以上の指標と、
報告する無線デバイスに前記ＷＬＡＮ  ＡＰが知られているかどうかの指標と、
報告する無線デバイスが前記ＷＬＡＮ  ＡＰについての証明書を有しているかどうかの指標と、
組織上の前記ＷＬＡＮ  ＡＰの所属の１以上の指標と、
前記ＷＬＡＮ  ＡＰのＳＳＩＤ、ＢＳＳＩＤ、若しくはＨＥＳＳＩＤのうちの任意の１以上のような前記ＷＬＡＮ  ＡＰの識別子の指標と、
のうちの少なくとも１つに基づいて、前記帯域についてのチャネル順位付け動作を実行するように構成された処理回路と、
を備え、
前記ＷＬＡＮ利用に関連する帯域が免許不要帯域である、ネットワークノード。
【請求項５】
前記処理回路が、前記ＷＬＡＮ  ＡＰが前記無線デバイスに知られている及び／又は前記無線デバイスが前記ＷＬＡＮ  ＡＰについてのセキュリティ証明書を有しているとの判定に応じて、前記ネットワークよりも前記ＷＬＡＮ  ＡＰを選択し、又は前記ネットワークよりも前記ＷＬＡＮ  ＡＰの選択の方に向けて選択処理にバイアスをかけるようにさらに構成されている、請求項４に記載のネットワークノード。
【請求項６】
前記処理回路は、前記ＷＬＡＮ  ＡＰの前記識別子が、前記ＷＬＡＮ  ＡＰはホットスポットＡＰ又はオペレータ系列のＡＰであることを示している場合、前記ＷＬＡＮ  ＡＰと関連するチャネルを選択することを避けるように、チャネル選択を実行するように構成されている、請求項４に記載のネットワークノード。
【請求項７】
無線ローカルエリアネットワーク（ＷＬＡＮ）利用に関連する帯域を少なくとも条件付きで利用する無線通信ネットワークにおいて動作するように構成されたネットワークノードにおける方法であって、
前記帯域で動作する無線ローカルエリアネットワークアクセスポイント（ＷＬＡＮ  ＡＰ）の識別子を搬送するシグナリングを受信することと、
前記ＷＬＡＮ  ＡＰの前記識別子に少なくとも部分的に基づいて、前記無線通信ネットワークによる前記帯域の利用に関するチャネル順位付け又はチャネル選択を実行することと、
を含み、
前記ＷＬＡＮ利用に関連する帯域が免許不要帯域である、方法。
【請求項８】
前記方法は、前記ＷＬＡＮ  ＡＰが無線デバイスに知られている及び／又は無線デバイスが前記ＷＬＡＮ  ＡＰについてのセキュリティ証明書を有しているとの判定に応じて、前記ネットワークよりも前記ＷＬＡＮ  ＡＰを選択すること、又は前記ネットワークよりも前記ＷＬＡＮ  ＡＰの選択の方に向けて選択処理にバイアスをかけること、をさらに含む、請求項７に記載の方法。
【請求項９】
前記方法は、前記ＷＬＡＮ  ＡＰの前記識別子が、前記ＷＬＡＮ  ＡＰはホットスポットＡＰ又はオペレータ系列のＡＰであることを示している場合、前記ＷＬＡＮ  ＡＰと関連するチャネルを選択することを避けるように、チャネル選択を実行することを含む、請求項７に記載の方法。
【請求項１０】
無線ローカルエリアネットワーク（ＷＬＡＮ）利用に関連する帯域を少なくとも条件付きで利用する無線通信ネットワークにおいて動作するように構成されたネットワークノードにおける方法であって、
前記帯域で動作する無線ローカルエリアネットワークアクセスポイント（ＷＬＡＮ  ＡＰ）の１以上のパラメータを搬送するシグナリングを受信することと、
前記受信したパラメータのうち少なくとも１つに基づいて、前記帯域についてのチャネル順位付け動作を実行することと、を含み、前記受信したパラメータのうちの前記少なくとも１つは、
前記ＷＬＡＮ  ＡＰによって利用され又はサポートされているＷｉ−Ｆｉの１以上のバージョンの指標と、
前記ＷＬＡＮ  ＡＰがホットスポットＡＰであるかどうかの指標と、
前記ＷＬＡＮ  ＡＰがインフラストラクチャＡＰであるかどうかの指標と、
前記ＷＬＡＮ  ＡＰについてのＷｉ−Ｆｉビーコン期間及び／又はデータ速度の指標と、
報告する無線デバイスに前記ＷＬＡＮ  ＡＰが知られているかどうかの指標と、
報告する無線デバイスが前記ＷＬＡＮ  ＡＰについての証明書を有しているかどうかの指標と、
組織上の前記ＷＬＡＮ  ＡＰの所属の指標と、
前記ＷＬＡＮ  ＡＰのＳＳＩＤ、ＢＳＳＩＤ、若しくはＨＥＳＳＩＤのうちの任意の１以上のような前記ＷＬＡＮ  ＡＰの識別子の指標と、
のうちの１以上を含み、
前記ＷＬＡＮ利用に関連する帯域が免許不要帯域である、方法。
【請求項１１】
前記方法は、前記ＷＬＡＮ  ＡＰが前記無線デバイスに知られている及び／又は前記無線デバイスが前記ＷＬＡＮ  ＡＰについてのセキュリティ証明書を有しているとの指標を受信することに応じて、前記ネットワークよりも前記ＷＬＡＮ  ＡＰを選択すること、又は前記ネットワークよりも前記ＷＬＡＮ  ＡＰの選択の方に向けて選択処理にバイアスをかけること、をさらに含む、請求項１０に記載の方法。
【請求項１２】
前記方法は、前記ＷＬＡＮ  ＡＰの前記識別子が、前記ＷＬＡＮ  ＡＰはホットスポットＡＰ又はオペレータ系列のＡＰであることを示している場合、前記ＷＬＡＮ  ＡＰと関連するチャネルを選択することを避けるように、チャネル選択を実行することを含む、請求項１０に記載の方法。
【発明の詳細な説明】
【技術分野】
【０００１】
本発明は、概して無線通信ネットワークに関し、特に無線通信ネットワークの共存に関する。
【背景技術】
【０００２】
帯域(spectrum)は乏しい通信リソースとなっており、異なる種類の通信ネットワークが、次第に、同じ又は重複する帯域において動作し、及びこれらにおいて競合するようになっている。例えば、「ライセンス補助アクセス(license assisted access)」すなわちＬＡＡを、第３世代パートナーシップ・プロジェクト（３ＧＰＰ）によって発布されたロングタームエボリューション（ＬＴＥ）規格に基づく広域無線ネットワーク（ＷＷＡＮ）の状況で用いることを考える。
【０００３】
ＬＡＡを伴うＬＴＥは、免許帯域(licensed spectrum)のキャリアを、共有帯域又は免許不要帯域(unllicensed spectrum)のキャリアと集約する−例えば、ＬＴＥネットワークは、免許帯域の主キャリアと５ＧＨｚ免許不要帯域の副キャリアを用いる所与の無線通信デバイスのために働く。この手法は、免許不要帯域（例えば５．１５０ＧＨｚから５．３５０ＧＨｚの間）における比較的大きい帯域の存在を活用する。
【０００４】
同じ手法が、ライセンスド・シェアード・アクセス（ＬＳＡ）及びオーソライズド・シェアード・アクセス（ＡＳＡ）帯域に適用可能であることに留意されたい。ＬＳＡ及びＡＳＡは、現任の無線オペレータに免許された帯域が、この現任の無線オペレータに利用されていない時には、他の免許された又は認可されたユーザによって利用されてもよいという手法である。
【０００５】
図１は例示構成を描写し、ここでＬＴＥネットワーク６は、ネットワークの免許帯域の主キャリアを共有帯域又は免許不要帯域の第２キャリアと集約するキャリアアグリゲーション（ＣＡ）構成を用いて、ユーザ機器（ＵＥ）８のために働く。この手法は、ＬＴＥネットワーク６がＵＥ８へのデータ速度を加速し、免許帯域における負荷をよりよく管理することを可能とする。共有帯域又は免許不要帯域の利用は、必要に応じて、例えばＵＥ８によって用いられている通信サービス及び／又はユーザ数、免許帯域の負荷等に依存して、条件付けられてもよい。
【０００６】
もちろん、共有帯域又は免許不要帯域において他の種類のネットワーク又はシステムが動作してもよく、これらの他のネットワークとの共存は、共有帯域又は免許不要帯域を公平に共有することの鍵となる側面を示す。さらに他の無線アクセス技術（ＲＡＴ）に基づくネットワークがネットワークオペレータにとって関心のある共有帯域又は免許不要帯域で動作することができるものの、ＩＥＥＥ８０２．１１規格に基づく無線ローカルエリアネットワーク（ＷＬＡＮ）−Ｗｉ−Ｆｉネットワークとして広く知られている−は、免許不要帯域の重要なユーザである。
【０００７】
ＬＴＥネットワークが１以上のＷｉ−Ｆｉネットワークと帯域を共有するという特定の例示的な状況においては、ＬＴＥネットワークによる帯域の利用が、関係するカバレッジエリアにおけるＷｉ−Ｆｉサービスに対して、追加のＷｉ−Ｆｉネットワークを同じキャリアに追加することによってもたらされるであろうものよりも大きい影響を与えないならば、ＬＴＥネットワークはＷｉ−Ｆｉによって用いられているのと同じ帯域を「公平に」共有しているとみなされるだろう。
【０００８】
どのように「公平」な利用が評価されるかにかかわらず、免許ネットワークは、免許帯域を補助するために免許ネットワークによって標的とされるのと同じ共有帯域又は免許不要帯域で動作しているあらゆるネットワークと可能な限りうまく「共存」すべきであることが理解されるだろう。様々な共存メカニズムが知られているが、これらは概してチャネル選択及びチャネル利用を制御するものとして理解されうる。例えば、免許ネットワークの基地局は、共有帯域又は免許不要帯域にある「最もクリーンな」チャネルを発見することに基づいて、共有帯域又は免許不要帯域における副キャリアをアクティベーションして利用するかもしれない。
【０００９】
例えば、基地局は、共有帯域又は免許不要帯域の全て又は一部にあるチャネルセットに対応する周波数における一連の干渉測定を実行するかもしれない。また、ネットワークが、共有帯域又は免許不要帯域にあるチャネル上で送信する前に、リッスン・ビフォー・トーク（ＬＢＴ）動作を実行することが要求されるかもしれない。
【００１０】
ある程度、無線ネットワークによってサポートされているＵＥ又は他の無線デバイスは、例えばＲＡＴ間測定(inter-RAT measurement)をネットワークに提供することにより、ネットワークに有益な情報を提供してもよい。例えば、ＬＴＥネットワークの共存メカニズムを向上させるために、ＬＴＥのＵＥに、限定されたＷｉ−Ｆｉ関連測定値の限定されたセットをＬＴＥネットワークに少なくとも提供させることが知られている。例えば、あるＷｉ−Ｆｉアクセスポイント（ＡＰ）は近くのＵＥに見えるかもしれず、しかしながらＵＥのために働くＬＴＥ基地局には見えないか又は他の方法で検知可能ではないかもしれない。
【００１１】
概して、共有帯域又は免許不要帯域の利用がいっそう普及してきているにつれて、これらの共存メカニズムを向上させることに関しては多くの難題が残っている。
【発明の概要】
【００１２】
より優れたチャネル選択及び共存アルゴリズムを開発するために、第１の無線アクセス技術（ＲＡＴ）の無線アクセスノード（ＲＡＮ）へと、第２のＲＡＴの１以上の共存するＲＡＮに関する情報を送信する方法が提供される。特に、この情報は、前記１以上の共存する無線アクセスノードによって用いられるいくつかのパラメータ及び動作モードを含む。
【００１３】
目下開示される実施形態は、ネットワークノード又は無線デバイスで実装されてもよいいくつかの方法を含む。例えば、１つの例示実施形態は、無線ローカルエリアネットワーク（ＷＬＡＮ）利用と関連する帯域を少なくとも条件付きで利用する無線通信ネットワークにおける動作のために構成されたネットワークノードによって実装される方法である。この方法は、帯域で動作している無線ローカルエリアネットワークアクセスポイント（ＷＬＡＮ  ＡＰ）の識別子を搬送するシグナリングを受信する工程を含み、さらにＷＬＡＮ  ＡＰの識別子に少なくとも部分的に基づいて無線通信ネットワークを介して無線デバイスのために働くこと又はＷＬＡＮ  ＡＰを介して無線デバイスのために働くことの間での優先度を判定することと；ＷＬＡＮ  ＡＰの識別子に少なくとも部分的に基づいて無線通信ネットワークによる帯域の利用に関するチャネル順位付け又はチャネル選択を実行することと；ＷＬＡＮ  ＡＰの識別子に少なくとも部分的に基づいて無線デバイス、無線通信ネットワークにおける基地局、又はＷＬＡＮ  ＡＰのうちの１以上に関するポジショニング動作を実行することと、のうちの任意の１以上を実行する工程を含む。
【００１４】
他の実施形態は、ＷＬＡＮ利用と関連する帯域を少なくとも条件付きで利用する無線通信ネットワークにおける動作のために構成された無線デバイスによって実装されるような、相補的な方法を含む。この相補的な方法は、ＷＬＡＮ  ＡＰからのブロードキャスト又は他のシグナリングを受信することに基づいて、ＷＬＡＮ  ＡＰの識別子を取得することを含み、さらにＷＬＡＮ  ＡＰの識別子を搬送する報告メッセージを生成することを含む。この方法はさらに、報告メッセージをネットワークに送信することを含む。
【００１５】
他の実施形態は、ＷＬＡＮ利用と関連する帯域を少なくとも条件付きで利用する無線通信ネットワークにおける動作のために構成されたネットワークノードにおける実装のための他の方法を含む。この、この方法は、この帯域で動作しているＷＬＡＮ  ＡＰの１以上のパラメータを搬送するシグナリングを受信する工程を含み、さらに、受信されたパラメータのうち少なくとも１つに基づいて、無線アクセス技術（ＲＡＴ）ステアリング動作、ポジショニング動作、この帯域についてのチャネル順位付け動作、及びこの帯域についてのチャネル利用判定、のうちの任意の１以上を実行する工程を含む。受信されるパラメータのうちの少なくとも１つは、ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；１以上のパラメータを報告する無線デバイスによって測定されたＷＬＡＮ  ＡＰからのＷｉ−Ｆｉビーコンの受信信号強度の指標；ＷＬＡＮ  ＡＰの送信電力の指標；報告する無線デバイスにＷＬＡＮ  ＡＰが知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標、のうちの１以上を含む。
【００１６】
さらに他の実施形態は、ＷＬＡＮ利用と関連する帯域を少なくとも条件付きで利用する無線通信ネットワークにおける動作のために構成された無線デバイスにおける実装のための他の方法を含む。この方法は、この帯域で動作しているＷＬＡＮ  ＡＰからのブロードキャスト又は他のシグナリングを受信することを含み、以下のパラメータのうちの任意の１以上を無線通信ネットワークに報告することを含む：ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；無線デバイスによって測定されたＷＬＡＮ  ＡＰからのＷｉ−Ｆｉビーコンの受信信号強度の指標；ＷＬＡＮ  ＡＰの送信電力の指標；ＷＬＡＮ  ＡＰが無線デバイスに知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標。
【００１７】
本明細書に開示されるさらに他の実施形態は、上記のように要約された方法に対応するネットワークノード装置及び無線デバイス装置、並びにそれらの変形例、並びに対応するコンピュータプログラム製品を含む。
【００１８】
もちろん、本発明は上記の特徴及び利点に限定されない。当業者は、続く詳細な説明を読み、添付の図面を見た際に、追加の特徴及び利点を認識するだろう。
【図面の簡単な説明】
【００１９】
【図１】ロングタームエボリューション（ＬＴＥ）ネットワークにおけるライセンス補助アクセス（ＬＡＡ）を用いる例示構成のブロック図。
【図２】本明細書の教示に従うネットワークノード及び無線通信デバイスの例示実施形態のブロック図。
【図３】本明細書の教示に従う例示無線通信ネットワークのブロック図。
【図４】本明細書の教示に従う、無線通信ネットワークに都合良く報告されるＷｉ−Ｆｉパラメータの一実施形態の表。
【図５Ａ】、
【図５Ｂ】、
【図５Ｃ】無線通信ネットワークによってなされる、図４の表にみられる、様々な報告されたＷｉ−Ｆｉパラメータの例示利用の表を描写する。
【図６】図４の表にみられるパラメータのうち１以上を評価することに基づく、免許不要帯域又はＬＳＡ帯域又はＡＳＡ帯域についての、例えばチャネルの順位付け、選択、及び／又はアクティベーションのような共存処理方法の一実施形態の論理フロー図。
【図７】図４の表にみられるパラメータのうち１以上を評価することに基づく、ＲＡＴステアリング方法の一実施形態の論理フロー図。
【図８】目下開示される技術に従う、ネットワークノードにおける例示方法を表すプロセスフロー図。
【図９】目下開示される技術に従う、無線デバイスにおける例示方法を表すプロセスフロー図。
【図１０】目下開示される技術に従う、ネットワークノードにおける他の例示方法を表すプロセスフロー図。
【図１１】目下開示される技術に従う、無線デバイスにおける他の例示方法を表すプロセスフロー図。
【図１２】図４の表にみられるパラメータのうち１以上を評価することに基づく、免許不要帯域又はＬＳＡ帯域又はＡＳＡ帯域についての、例えばチャネルの順位付け、選択、及び／又はアクティベーションのような共存処理方法の他の実施形態の論理フロー図。
【図１３】、
【図１４】、
【図１５】、
【図１６】目下開示される技術及び装置に従う、ネットワークノード及び無線デバイスの機能表現を表す。
【発明を実施するための形態】
【００２０】
図２は、ネットワークノード１０及び無線デバイス１２を表す。図２は関連する通信ネットワークを明示的に表していないが、ネットワークノード１０は、無線デバイス１２に通信サービスを提供するように構成された通信ネットワーク内で動作することが、理解されるだろう。非限定的な例として、ネットワークノード１０は基地局、又はＬＴＥ  ｅＮＢ若しくは１以上のｅＮＢと関連付けられた集中型コントローラのような他のネットワークエンティティである。対応して、同じ例示状況において、無線デバイス１２は、第３世代パートナーシップ・プロジェクトの用語における、ＬＴＥベースのユーザ機器（ＵＥ）である。
【００２１】
もちろん、これらは非限定的な例であり、無線デバイス１２が、関連する通信ネットワークと関連付けられた無線アクセス技術（ＲＡＴ）に従って動作する、実質的にどのような種類の通信機器又は通信装置を含んでもよいことが理解されるだろう。例として、無線デバイス１２はセルラ無線電話（スマートフォン又はフィーチャーフォン）であってもよく、又はタブレット、ラップトップ、若しくは無線送受信機を備えるように構成された他のコンピューティングデバイスであってもよい。代わりに、無線デバイス１２は、モデム、ドングル、若しくは他のネットワークアダプタのような組み込みデバイスであってもよく、及び／又は、マシンツーマシン（Ｍ２Ｍ）状況におけるマシンタイプコミュニケーション（ＭＴＣ）のために構成された機器を含み、若しくはこの一部であってもよい。
【００２２】
本明細書に開示されたいくつかの特定の実施形態によれば、第１の技術はＬＴＥであり、第２の技術はＷｉ−Ｆｉである。さらに、第１の技術の無線アクセスノードはｅＮＢであり、第２の無線アクセス技術の無線の１以上の共存する無線アクセスノードはＷｉ−Ｆｉ  ＡＰである。情報に基づいて、ｅＮＢは、どのＷｉ−Ｆｉ  ＡＰがＬＡＡ−ＬＴＥカバレッジエリア内にあるかを判定してもよい。さらなる実施形態において、ｅＮＢは、１以上のＷｉ−Ｆｉ  ＡＰが利用している、いくつかのパラメータ及び動作モードを判定してもよい。しかしながら、技術及び装置がこれらの状況には限定されないことが理解されるだろう−いくつかの実施形態において第１の技術はＬＴＥ以外の無線通信技術であってもよいし、及び／又は第２の技術はＷｉ−Ｆｉ以外の無線ＬＡＮ技術であってもよい。
【００２３】
いずれの場合でも、本明細書の教示に従って、ネットワークノード１０及び無線デバイス１２は、それぞれネットワーク側及びデバイス側の「共存」動作の１以上を実行するように都合良く構成される。ここで、「共存動作」という文句は、関連する通信ネットワークが１以上の他のネットワークに関して共存するように制御又は構成することに関して行われる動作のことを指す。非限定的だが有用な例において、ネットワークノード１０はＬＴＥネットワークの一部であり、ネットワークノード１０及び無線デバイス１２はＷｉ−Ｆｉネットワークに関する１以上の共存動作を実行する。
【００２４】
より具体的には、ネットワークノード１０は無線デバイス１２に対して制御及び／又は構成シグナリングを与え、無線デバイス１２は対応して向上した「ＲＡＴ間報告」をネットワークノード１０に提供する。留意すべきことに、ネットワークノード１０及び無線デバイス１２は、考慮される通信のそれぞれのプロトコルエンドポイントとして動作することにより、「直接」通信してもよいが、これは非限定的な例として理解されるべきである。他の実施形態において、例えばシグナリングを他のノードに送り、この他のノードがこれを無線デバイス１２への送達のために先へ転送するか又は無線デバイス１２に向けた対応するシグナリングを生成することにより、ネットワークノード１０は無線デバイス１２と間接的に通信する。ネットワークノード１０及び無線デバイス１２が直接通信する場合であっても、このようなシグナリングは他のノードを介して又は通って搬送されてもよい-例えば、ネットワークノード１０がポジショニングノードであれば、これはネットワーク基地局を介して無線デバイス１２と通信してもよい。
【００２５】
対応して、例示実施形態において、ネットワークノード１０は１以上の通信インタフェース２０及び１以上の通信インタフェースと動作可能に関連付けられた処理回路２２を含む。処理回路２２はストレージ２４と関連付けられ、ストレージ２４は１以上の実施形態において設定データ２６及び／又は１以上のコンピュータプログラム２８を格納する。
【００２６】
ストレージ２４は、例えばフラッシュ、ＥＥＰＲＯＭ、ＤＲＡＭ、ＳＲＡＭ、電気機械的ハードディスク、ソリッドステートディスク等のうち１以上のような、１以上の種類の非一時的なコンピュータ読み取り可能な媒体を含む。少なくとも１つの実施形態において、ストレージ２４は、非揮発性ストレージと、計算及びプログラム実行のためのワーキングメモリのような揮発性ストレージと、の混合を含む。これに関して、「非一時的ストレージ」という用語は、必ずしも永続的又は変化しない格納部を意味するわけではなく、少なくともいくらかの持続性を有するストレージを意味し、単なる伝播信号を除外するものである。
【００２７】
処理回路２２は、例えば、１以上のマイクロプロセッサ、デジタル信号プロセッサ（ＤＳＰ）、フィールドプログラマブルゲートアレイ（ＦＰＧＡ）、アプリケーションスペシフィック集積回路（ＡＳＩＣ）等のような、１以上のデジタル処理回路を含む。処理回路２２は、少なくともいくつかの実施形態において、様々な処理を提供する様々なラインカードを備える１以上のバックプレーン処理システムのような、複雑な回路セットを含む。
【００２８】
処理回路２２の具体的な実装は、ネットワークノード１０の性質及び意図される目的に依存するだろう。実際に、ネットワークノード１０は、実際、１以上のノードを含んでもよく、関連する処理及び機能が分散され又は他に協力してノード間で分担されてもよい。どの場合であっても、ここでの議論の目的として、どのように実装されたとしてもネットワークノード１０が共存処理を実行するために都合良く構成されることが理解されるだろう。少なくとも１つの実施形態において、処理回路２２は、ストレージ２４に格納されたコンピュータプログラム２８に含まれるコンピュータプログラム命令の実行に基づいて、本明細書で開示されるネットワーク側の教示を実行するように構成される。
【００２９】
例示実施形態における無線デバイス１２もまた、通信インタフェース３０と、動作可能に関連付けられストレージ３４を含み又はこれと関連付けられている処理回路３２と、を含む。ストレージ３４は１以上の種類のコンピュータ読み取り可能な媒体を含み、少なくともいくつかの実施形態において、設定データ３６及び／又はコンピュータプログラム３８のための非一時的ストレージを提供する。１以上の通信インタフェース３０は、例えば、無線周波数（ＲＦ）送受信機、又は１以上のＲＦ受信機及び１以上のＲＦ送信機を含む複数の送受信機を備える。
【００３０】
少なくとも１つの例示実施形態において、通信インタフェース３０は、ＬＴＥネットワークにおける動作のために構成され、及びＲＡＴ間測定を行うように、例えばＷｉ−Ｆｉネットワークで用いられる免許不要帯域における信号測定を行うように、構成されているセルラ無線送受信機を含む。さらに、少なくともいくつかの実施形態において、通信インタフェース３０は、Ｗｉ−Ｆｉ又は他のＷＬＡＮ送受信回路を含み、これらの少なくともいくつかはセルラ無線送受信機と共有されてもよい。簡単にいうと、無線デバイス１２は、少なくともいくつかの実施形態において、通信インタフェース、又はセルラネットワーク及びＷｉ−Ｆｉネットワークに関して動作するように構成されたインタフェースを含む。
【００３１】
さらに、少なくとも１つの実施形態において、処理回路３２は、ストレージ３４に格納されたコンピュータプログラム３８に含まれるコンピュータプログラム命令の実行に基づいて、本明細書で開示されるデバイス側の教示を実行するように構成される。
【００３２】
図３は、例示無線通信ネットワーク４０を表す。非限定的な例として、図は、発展型ユニバーサル地上波無線アクセスネットワーク（Ｅ−ＵＴＲＡＮ）及び発展型パケットコア（ＥＰＣ）についての３ＧＰＰの用語を採用している。このように、ネットワーク４０はＲＡＮ部４２及びコアネットワーク（ＣＮ）部４４を含むことがわかる。ＣＮ部４４は、ネットワーク４０によって提供される、無線デバイス１２への通信サービスを提供することに関連するいくつかのノードを含む。
【００３３】
簡単な描写の中に、移動管理エンティティ（ＭＭＥ）４６、サービングゲートウェイ（Ｓ−ＧＷ）４８、パケットデータネットワークゲートウェイ（ＰＧＷ）５０、及びポジショニングノード（ＰＮ）５２をみることができる。ＣＮ部４４は、インターネット又は他のパケットデータネットワークのような１以上の外部ネットワーク５４に通信可能に結合する。さらに、ＲＡＮ部４２は、ＬＴＥの言葉ではｅＮＢと呼ばれる、１以上の基地局６０を含む。議論を容易にするために１つだけのｅＮＢ６０が表されているが、潜在的には多数のｅＮＢ６０がネットワーク４０に存在してもよく、それぞれが対応するカバレッジエリア内で通信サービスを提供する１以上のキャリア又はセルを提供する。
【００３４】
例えば、表されているｅＮＢ６０はＬＡＡを伴うＬＴＥ動作のために構成されており、したがってネットワーク４０のオペレータによって所有されている免許帯域におけるセル又はキャリアと、免許不要帯域における１以上のセル又はキャリアと、を提供することが可能である。例として、セル又はキャリア６２−１及びセル又はキャリア６２−２をみることができる。議論を容易にするために、セル又はキャリア６２−１は主又は免許キャリア６２−１と呼ばれ、セル又はキャリア６２−２は副又は免許不要キャリア６２−２と呼ばれる。
【００３５】
副キャリア６２−２は選択的にアクティベートされてもよく、ｅＮＢ６０は、例えば複数の無線デバイス１２に提供するために、免許不要帯域における１つより多い副キャリア６２−２を利用してもよいことが理解されるだろう。このような利用は、あらゆる近傍の無線ローカルアクセスネットワーク（ＷＬＡＮ）５０と深刻に干渉しうる。すなわち、ＷＬＡＮ７０によって利用されているのと同じ帯域の、ＬＴＥネットワーク４０による共同チャネル利用は、ＷＬＡＮアクセスポイント（ＡＰ）７２及び／又はＷＬＡＮ７０で動作しているＷＬＡＮデバイス７４の動作を顕著に妨害しうる。
【００３６】
例として、ＷＬＡＮ７０は、ＬＡＡのためにネットワーク４０によって利用されているのと同じ免許不要帯域で動作するとＷｉ−Ｆｉネットワークである。この例の目的で、ｅＮＢ６０は前述したネットワークノード１０として動作し、又は、ｅＮＢ６０−及びことによるといくつかの他のｅＮＢ６０−と関連する制御ノード６４は前述したネットワークノード１０として動作する。言い換えると、図３の例示状況において、ｅＮＢ６０及び／又は制御ノード６４は、本明細書で問題になっているネットワーク側共存動作を実行し、ここでネットワーク４０は、ＷＬＡＮ７０とよりよく共存し及び／又はＷＬＡＮ７０をうまく利用するために、その動作の１以上の態様を制御する。
【００３７】
そのような目的で、ｅＮＢ６０は、無線デバイス１２が報告するＷｉ−Ｆｉパラメータ及び無線デバイス１２が行う関連する測定に関して無線デバイス１２を制御又は構成する、無線デバイス１２へのシグナリングを送ってもよい。代わりに、ｅＮＢ６０は、その内容及び／又はタイミング等に関して本明細書の教示に従って都合よく構成される、無線デバイス１２からの対応するＷｉ−Ｆｉパラメータ報告を受信する。
【００３８】
図４は、有利なＷｉ−Ｆｉパラメータの表を表し、これらの任意の１以上が、無線デバイス１２によってｅＮＢ６０及び／又は制御ノード６４へと報告されることができる。報告される特定のパラメータ並びにこのような報告のトリガ若しくはタイミングは、無線デバイス１２に構成シグナリングを送信することに基づいてネットワーク４０によって構成されることができ、又は、無線デバイス１２はこのような報告を実行するように予め構成されることができ、又はシグナリングされる報告構成及び予め構成される報告構成のいくつかの組み合わせが利用されてもよい。
【００３９】
これらの都合良く報告されるパラメータのうちの任意の１以上は、チャネル順位付け、チャネル利用、ＲＡＴステアリング、及びポジショニングのうちの任意の１以上を行い又は制御するためにネットワーク４０によって用いられてもよい。「チャネル順位付け」という用語は、免許不要帯域のどのチャネルを副キャリアのために用いるかを決定する際にネットワーク４０によって行われるような動作を少なくとも指し、一方で「チャネル利用」という用語は、選択されたチャネルをどのくらい使うのか−帯域及び／又はリソース割り当て−に関する判断を指す。最後に、「ＲＡＴステアリング」という用語は、デバイス１２にＷｉ−Ｆｉのような利用可能な代わりのＲＡＴからのサービスを取得させるように、ネットワーク４０を介してある無線デバイス１２（又はあるデバイスのグループ）のために働くかどうかを判断することに関する、ネットワーク４０による判断形成及び対応するシグナリング又は制御のことを指す。
【００４０】
図５Ａ〜５Ｃは、図４の表に特定されているパラメータのそれぞれについての、本明細書で考慮されている例示利用の表を表していると理解されるだろう。例示実装において、３ＧＰＰ  ＴＳ  ３６．３３１規格の版に追加されるＷｉ−Ｆｉ測定報告シグナリングメッセージに、追加のフィールドが追加される。
【００４１】
ネットワークにこれらのＷｉ−Ｆｉパラメータを提供することによってもたらされる例示の利点の非限定的な例は、ｅＮＢに接続されているＵＥのＷｉ−Ｆｉ環境についてのより良好な見解を、ＬＴＥ  ｅＮＢが有することを可能とすることを含む。この情報はＬＴＥのＬＡＡ−ＬＴＥ特徴によって利用されてもよく、ｅＮＢのカバレッジエリアにおけるＷｉ−Ｆｉ環境を「マッピング」するために利用されてもよい。
【００４２】
一実施形態において、ネットワーク４０は、副Ｗｉ−Ｆｉチャネルに関連する帯域ではなく主Ｗｉ−Ｆｉチャネルに関連する帯域を使うことを避けるために、情報を利用する。同じ又は別の実施形態において、ネットワーク４０は、あるＷｉ−Ｆｉチャネルにおける信号のうちどれだけが、データ送信に対して、ビーコン送信を表しているかを判定することに基づいて、Ｗｉ−Ｆｉチャネルの負荷又は占有を判定するために、情報を用いる。
【００４３】
さらに、同じ又は別の実施形態において、ネットワーク４０は、追加の、二次的な、又はより高次のチャネル順位付けを実行することができ、例えば、（１）他のオペレータのＬＴＥ−Ｕノードと同じチャネルを避ける、（２）Ｗｉ−Ｆｉビーコン（ＭＡＣアドレス）を避ける、（３）「特別な」Ｗｉ−Ｆｉ  ＳＳＩＤを避ける、（４）ホットスポット又は企業のＷｉ−Ｆｉ  ＡＰを避ける、及び／又は（５）例えばTelconame_Wifi_*のようなオペレータ自身のＳＳＩＤのリスト（正規表現（ｒｅｇｅｘ））、又はＭＡＣアドレス00:00:3D:*:*:*...のような、特別なＳＳＩＤ又はＢＳＳＩＤ範囲が避けられるように構成する。
【００４４】
図６は、本明細書で考慮される、免許不要帯域におけるネットワーク４０によるチャネル選択及びアクティベーションのために前述のネットワークノード１０によって実行されてもよいような、共存処理のための方法又は処理方法の一実施形態を表す。図６においては、ここまで定義されていない次の略語が用いられている：ＲＡＣ（無線制御）、ＢＢ（ベースバンド）、ＰＣＩ（物理セル識別子）、ＣＧＩ（セルグローバル識別子）、ＯＴ（占有閾値）、ＯＡＭ（運用及び管理）、ＲＳＳＩ（受信信号強度インジケータ）。
【００４５】
特に、この図は、ブロック６００４に示されるように、Ｗｉ−Ｆｉチャネルデータを報告することができる１以上の無線デバイスが選択されることを表す。ブロック６００５に示されるように、選択された１以上の無線デバイスから、測定するチャネルのリストとパラメータとを含む測定報告要求が取得される。こうして取得された測定報告が、ブロック６０１５に示されるように、チャネル順位付け処理において用いられる。ブロック６０１６において、順位付けに基づいてチャネルがさらに選択されアクティベートされる。チャネル順位付け処理において測定報告を利用することに代えて、又はこの処理と組み合わせて、測定報告はチャネル共存プロセス（不図示）及び／又はポジショニングプロセス（不図示）のために利用されてもよい。
【００４６】
ブロック６０１１、６０１２、６０１３、及び６０１４に示されるような、Ｗｉ−Ｆｉモジュール（又はＷｉ−Ｆｉ「スニッファ」）の利用を含むいくつかの表されている処理は、任意的なものである。ブロック６０２１及び６０２１に示されるように、周期的チャネルスキャンタイマの満了及び再開によって、免許不要帯域又は共有帯域のチャネルについての占有メトリックの判定処理が開始され、これは、ブロック６０２２〜６０２７に示されるように、免許不要帯域又は共有帯域（ここでは５ＧＨｚチャネルとして示されている）における全ての送信を停止し、そして帯域にあるいくつかのチャネルのそれぞれについて：このチャネルにアップリンク受信機を合わせ；所定の速度で複数回アップリング受信信号強度インジケータ（ＲＳＳＩ）をサンプリングし；平均ＲＳＳＩ又はＲＳＳＩが占有閾値（ＯＴ）を超えたサンプルの数に基づいてこのチャネルについての占有レベルを計算する、ことを含む。結果として得られた情報は、ブロック６０１５に示される順位付けプロセスに供給される。
【００４７】
図６に示される他の処理は、ブロック６００２に示されるようにＬＴＥ  ＣＧＩを報告することができるＵＥの選択を含み、続いてブロック６００３に示されるように選択されたＵＥへ測定報告要求が送られ、ここで測定報告要求は、ＣＧＩを報告する周波数及び／又はＰＣＩを含む。再び、こうして得られた情報は、ブロック６１５に示される順位付けプロセスに供給される。ブロック６００６に示されるような無線アクセス技術（ＲＡＴ）検知処理からの情報も、ブロック６１５に示される順位付け処理に供給されることができる。
【００４８】
図７は、あるＵＥ又は他の無線デバイス１２に関して前述したネットワークノード１０によって少なくとも部分的に実行されてもよいような、ＲＡＴステアリング方法の一実施形態を表す。この処理においては、ブロック７００１に示されるように、ＵＥはＬＴＥネットワークにＲＲＣ接続されていると仮定される。ブロック７００１に示されるように、ｅＮＢは、ＬＡＡ  ＳセルをスキャンするようにＵＥに要求する。ブロック７００３に示されるように、ＵＥにとって利用可能なＬＡＡ  Ｓセルがない場合、ブロック７００９に示されるように、ｅＮＢはＷｉ−Ｆｉインタフェースを利用する。ＬＡＡ  Ｓセルが利用可能である場合、ブロック７００７に示されるようにｅＮＢ又はネットワークはサービス品質（ＱｏＳ）パラメータとＷｉ−Ｆｉ及びＳセルについてのポリシを比較し、ブロック７００８に示されるようにネットワークポリシの判断を行い、ポリシ判断の結果は、ブロック７００９に示されるようにＷｉ−Ｆｉインタフェースを用いるか、又はブロック７０１０及び７０１１に示されるように１以上のＳセルに対してＵＥを構成して１以上のＳセルに関してＵＥをアクティベートするか、になる。
【００４９】
表された方法はまた、ブロック７００２に示されるように、Ｗｉ−Ｆｉビーコンが検知されたかどうかの判定を含む。そうであるならば、ブロック７００４及び７００７に示されるように、ＵＥにとってのＳＳＩＤの適用可能性に関する情報が、ネットワークポリシ判定処理に供給される。さらに、ブロック７００５に示されるように、ｅＮＢは、Ｗｉ−Ｆｉスキャンの結果を測定して報告するように、ＵＥに要求する。ブロック７００６に示されるように、ＵＥは、検知された既知のＳＳＩＤの表示を含めて、Ｗｉ−Ｆｉスキャン結果をｅＮＢに送信する。この情報もまた、ブロック７００７に示されるように、ネットワークポリシ判断処理において用いられる。
【００５０】
図１２は、再び図４に表されるパラメータに基づく、共存処理の方法の他の実施形態を表す。図からわかるように、この処理は、ブロック１２０１に示されるように、チャネル再選択が必要であるとの判定によって引き起こされてもよく、これは続いてチャネル順位付け（ブロック１２０９）、全ての入力の重み付け（ブロック１２１０）、並びにチャネルの選択及びアクティベーション（ブロック１２１１）を引き起こす。チャネル順位付け処理への入力は、ＵＥ  ＬＴＥ測定（ブロック１２０６）、ｅＮＢ  ＲＳＳＩ測定（例えばリッスン・ビフォー・トーク（ＬＢＴ）中又は受信（ＲＸ）間隔中の測定）（１２０７）、及びＵＥ  Ｗｉ−Ｆｉ測定（１２０８）を含む。
【００５１】
また図からわかるように、構成又は再構成（ブロック１２０２）又は周期的チャネルスキャンタイマの満了（ブロック１２０３）が、チャネルスキャニング処理を引き起こしてもよく、これはブロック１２０５、１２２１、１２１２、１２１３、１２１４、１２１５、及び１２１６に示されている。チャネルスキャニング処理の結果は、同様に、チャネル順位付け処理に供給される。チャネルスキャニング処理は、免許不要帯域又は共有帯域（ここでは５ＧＨｚチャネルとして示されている）における全ての送信を停止すると、続けて帯域のいくつかのチャネルのそれぞれについて：このチャネルにアップリンク受信機を合わせ（ブロック１２０５）；所定の速度で複数回アップリング受信信号強度インジケータ（ＲＳＳＩ）をサンプリングし（ブロック１２１２）；平均ＲＳＳＩを計算し（ブロック１２１３）；中央値、最小値、最大値、最頻値等のようなチャネルについての占有統計値を計算する（ブロック１２１４）、ことを含む。結果として得られた情報は、ブロック６０１５に示される順位付けプロセスに供給される。
【００５２】
さらなる具体的だが非限定的な例において、無線デバイス１２は、例えば対応するＷｉ−Ｆｉネットワークに以前に接続していることに基づいて、知っている任意のＳＳＩＤが見えているかどうかを報告するように構成されており、例えばネットワークノード１０はこのような報告された情報をＲＡＴステアリングのために利用するように構成されている。このような実装の１つにおいて、無線デバイス１２が既にＷｉ−Ｆｉネットワーク７０のＳＳＩＤを知っていると報告した場合、ネットワークノード１０は、少なくともある通信サービスについて、無線デバイス１２がネットワーク４０から切断され、そのサービスについてＷｉ−Ｆｉネットワーク７０に接続されるべきと判断する。
【００５３】
ネットワーク４０からのサービスと比べての、Ｗｉ−Ｆｉサービスの同等の又はより強い優先は、ＵＥが既にＷｉ−Ｆｉネットワーク７０についてのセキュリティ証明書を有している場合、Ｗｉ−Ｆｉネットワークがホットスポットを備える場合、等のケースにおいて適用してもよい。もちろん、これらのパラメータをＹｅｓ／Ｎｏ判断変数として使う代わりに、Ｗｉ−Ｆｉサービスの方にＲＡＴステアリング判断をバイアスするために、これらは１以上の重み付けファクタの値を設定し又は調整するために用いられてもよい。
【００５４】
さらに、ネットワーク４０は、Ｗｉ−Ｆｉパラメータの報告から、ビーコンの詳細（レート及び期間）及び特定のＷｉ−Ｆｉの「フレーバー」又は使われている規格（例えば８０２．１１ａ、８０２．１１ｎ）等の、詳細なＷｉ−Ｆｉ情報を知ることに基づいて、任意の所与の時刻において、免許不要帯域のどの部分を及び／又はどの程度使うのかについてのよりよい又はより正確な計算を行う。
【００５５】
上述の技術及び特定の例をみれば、図８〜１１は、ネットワークノード又は無線デバイスにおいて実装されるかもしれないいくつかの一般化された方法を表していることが理解されるだろう。図８は、例えば、無線ローカルエリアネットワーク（ＷＬＡＮ）利用と関連する帯域を少なくとも条件付きで利用する無線通信ネットワークにおける動作のために構成されたネットワークノードによって実装される方法８００を表している。この方法は、ブロック８１０に示されるように、帯域で動作している無線ローカルエリアネットワークアクセスポイント（ＷＬＡＮ  ＡＰ）の識別子を搬送するシグナリングを受信することを含み、さらにブロック８２０に示されるように、ＷＬＡＮ  ＡＰの識別子に少なくとも部分的に基づいて無線通信ネットワークを介して無線デバイスのために働くこと又はＷＬＡＮ  ＡＰを介して無線デバイスのために働くことの間での優先度を判定することと；ＷＬＡＮ  ＡＰの識別子に少なくとも部分的に基づいて無線通信ネットワークによる帯域の利用に関するチャネル順位付け又はチャネル選択を実行することと；ＷＬＡＮ  ＡＰの識別子に少なくとも部分的に基づいて無線デバイス、無線通信ネットワークにおける基地局、又はＷＬＡＮ  ＡＰのうちの１以上に関するポジショニング動作を実行することと、のうちの任意の１以上を実行することを含む。
【００５６】
いくつかの実施形態において、この方法は、ＷＬＡＮ  ＡＰが無線デバイスに知られている及び／又は無線デバイスがＷＬＡＮ  ＡＰについてのセキュリティ証明書を有しているとの判定に応じて、ネットワークよりもＷＬＡＮ  ＡＰを選択すること、又はネットワークよりもＷＬＡＮ  ＡＰの選択の方に向けて選択処理にバイアスをかけることを含む。他の実施形態において、この方法は、ＷＬＡＮ  ＡＰの識別子がホットスポットＡＰ又はオペレータ系列のＡＰであることを示している場合、ＷＬＡＮ  ＡＰと関連するチャネルを選択することを避けるように、チャネル選択を実行することを含む。
【００５７】
図９は、ＷＬＡＮ利用と関連する帯域を少なくとも条件付きで利用する無線通信ネットワークにおける動作のために構成された無線デバイスによって実装されるような、相補的な方法９００を表している。ブロック９１０からわかるように、この方法は、ＷＬＡＮ  ＡＰからのブロードキャスト又は他のシグナリングを受信することに基づいて、ＷＬＡＮ  ＡＰの識別子を取得することを含む。ブロック９２０からわかるように、この方法はさらに、ＷＬＡＮ  ＡＰの識別子を搬送する報告メッセージを生成することを含む。最後に、ブロック９３０に示されるように、この方法は報告メッセージをネットワークに送信することを含む。
【００５８】
図１０は、ＷＬＡＮ利用と関連する帯域を少なくとも条件付きで利用する無線通信ネットワークにおける動作のために構成されたネットワークノードにおける実装のための他の方法１０００を表している。ブロック１０１０に示されるように、この方法は、この帯域で動作するＷＬＡＮ  ＡＰの１以上のパラメータを搬送するシグナリングを受信することを含む。ブロック１０２０に示されるように、この方法はさらに、受信されたパラメータのうち少なくとも１つに基づく、無線アクセス技術（ＲＡＴ）ステアリング動作、ポジショニング動作、この帯域についてのチャネル順位付け動作、及びこの帯域についてのチャネル利用判定、のうちの任意の１以上を実行することを含む。受信されるパラメータのうちの少なくとも１つは、ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；１以上のパラメータを報告する無線デバイスによって測定されたＷＬＡＮ  ＡＰからのＷｉ−Ｆｉビーコンの受信信号強度の指標；ＷＬＡＮ  ＡＰの送信電力の指標；報告する無線デバイスにＷＬＡＮ  ＡＰが知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標、のうちの１以上を含む。
【００５９】
いくつかの実施形態において、この方法は、ＷＬＡＮ  ＡＰが無線デバイスに知られている及び／又は無線デバイスがＷＬＡＮ  ＡＰについてのセキュリティ証明書を有していることの指標を受信することに応じて、ネットワークよりもＷＬＡＮ  ＡＰを選択すること、又はネットワークよりもＷＬＡＮ  ＡＰの選択の方に向けて選択処理にバイアスをかけることを含む。他の実施形態において、この方法は、ＷＬＡＮ  ＡＰの識別子がホットスポットＡＰ又はオペレータ系列のＡＰであることを示している場合、ＷＬＡＮ  ＡＰと関連するチャネルを選択することを避けるように、チャネル選択を実行することを含む。
【００６０】
図１１は、ＷＬＡＮ利用と関連する帯域を少なくとも条件付きで利用する無線通信ネットワークにおける動作のために構成された無線デバイスにおいて実装するための、図１０に示される方法と相補的な方法１１００を表している。ブロック１１１０に示されるように、この方法は、この帯域で動作するＷＬＡＮ  ＡＰからのブロードキャスト又は他のシグナリングを受信することを含む。ブロック１１２０に示されるように、この方法は、以下のパラメータのうちの任意の１以上を無線通信ネットワークに報告することを含む：ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；無線デバイスによって測定されたＷＬＡＮ  ＡＰからのＷｉ−Ｆｉビーコンの受信信号強度の指標；ＷＬＡＮ  ＡＰの送信電力の指標；ＷＬＡＮ  ＡＰが無線デバイスに知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標。
【００６１】
図１３は、ネットワークノード１０が無線ローカルエリアネットワーク（ＷＬＡＮ）利用に関連する帯域を少なくとも条件付きで利用する無線通信ネットワークにおける動作のために構成されている、図２におけるネットワークノード１０におけるもののような、ネットワークノードで実装されてもよい例示の機能モジュール又は回路アーキテクチャを表す。表されている実施形態は、少なくとも機能的に、この帯域で動作している無線ローカルエリアネットワークアクセスポイント（ＷＬＡＮ  ＡＰ）の識別子を搬送するシグナリングを受信する受信モジュール１３１０を含み、さらにＷＬＡＮ  ＡＰの識別子に少なくとも部分的に基づいて無線通信ネットワークを介して無線デバイスのために働くこと又はＷＬＡＮ  ＡＰを介して無線デバイスのために働くことの間での優先度を判定することと；ＷＬＡＮ  ＡＰの識別子に少なくとも部分的に基づいて無線通信ネットワークによる帯域利用に関するチャネル順位付け又はチャネル選択を実行することと；ＷＬＡＮ  ＡＰの識別子に少なくとも部分的に基づいて無線デバイス、無線通信ネットワークにおける基地局、又はＷＬＡＮ  ＡＰのうちの１以上に関するポジショニング動作を実行することと、のうちの任意の１以上を実行する実行モジュール１３２０と、を含む。
【００６２】
図１４は、無線デバイス１２がＷＬＡＮ利用に関連する帯域を少なくとも条件付きで利用する無線通信ネットワークにおける動作のために構成されている、図２の無線デバイス１２のような無線デバイスで実装されてもよい例示の機能モジュール又は回路アーキテクチャを表す。表されている実施形態は、少なくとも機能的に、ＷＬＡＮ  ＡＰからのブロードキャスト又は他のシグナリングを受信することに基づいて、ＷＬＡＮ  ＡＰの識別子を取得する取得モジュール１４１０を含み、さらにＷＬＡＮ  ＡＰの識別子を搬送する報告メッセージを生成する生成モジュール１４２０を含む。最後に、この実施形態は、ネットワークに報告メッセージを送信する送信モジュール１４３０を含む。
【００６３】
図１５は、ネットワークノード１０が無線ローカルエリアネットワーク（ＷＬＡＮ）利用に関連する帯域を少なくとも条件付きで利用する無線通信ネットワークにおける動作のために構成されている、図２におけるネットワークノード１０におけるもののような、ネットワークノードで実装されてもよい別の例示の機能モジュール又は回路アーキテクチャを表す。図１５に表されている実施形態は、少なくとも機能的に、この帯域で動作しているＷＬＡＮ  ＡＰの１以上のパラメータを搬送するシグナリングを受信する受信モジュール１５１０とを含み、さらに、受信されたパラメータのうち少なくとも１つに基づいて、無線アクセス技術（ＲＡＴ）ステアリング動作、ポジショニング動作、この帯域についてのチャネル順位付け動作、及びこの帯域についてのチャネル利用判定、のうちの任意の１以上を実行する実行モジュール１５２０を含む。前に説明したように、受信されるパラメータのうちの少なくとも１つは、ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；１以上のパラメータを報告する無線デバイスによって測定されたＷＬＡＮ  ＡＰからのＷｉ−Ｆｉビーコンの受信信号強度の指標；ＷＬＡＮ  ＡＰの送信電力の指標；報告する無線デバイスにＷＬＡＮ  ＡＰが知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標、のうちの１以上を含む。
【００６４】
最後に、図１６は、無線デバイス１２がＷＬＡＮ利用に関連する帯域を少なくとも条件付きで利用する無線通信ネットワークにおける動作のために構成されている、図２の無線デバイス１２のような無線デバイスで実装されてもよい例示の機能モジュール又は回路アーキテクチャを表す。表された実施形態は、少なくとも機能的に、この帯域で動作しているＷＬＡＮ  ＡＰからのブロードキャスト又は他のシグナリングを受信する受信モジュール１６１０を含み、さらに以下のパラメータのうちの任意の１以上を無線通信ネットワークに報告する報告モジュール１６２０を含む：ＷＬＡＮ  ＡＰによって利用されている又はサポートされているＷｉ−Ｆｉの１以上のバージョンの指標；ＷＬＡＮ  ＡＰがホットスポットＡＰであるかどうかの指標；ＷＬＡＮ  ＡＰがインフラストラクチャＡＰであるかどうかの指標；ＷＬＡＮ  ＡＰについてのＷｉ−Ｆｉビーコン期間及び／又はデータ速度の１以上の指標；無線デバイスによって測定されたＷＬＡＮ  ＡＰからのＷｉ−Ｆｉビーコンの受信信号強度の指標；ＷＬＡＮ  ＡＰの送信電力の指標；ＷＬＡＮ  ＡＰが無線デバイスに知られているかどうかの指標；報告する無線デバイスがＷＬＡＮ  ＡＰについての証明書を有しているかどうかの指標；組織上のＷＬＡＮ  ＡＰの所属の１以上の指標；及び、ＷＬＡＮ  ＡＰのＳＳＩＤ、ＢＳＳＩＤ、若しくはＨＥＳＳＩＤのうちの任意の１以上のようなＷＬＡＮ  ＡＰの識別子の指標。
【００６５】
本明細書に記載された方法は、ネットワークノード又は無線デバイスの１以上の処理回路によって実行するのに適したコンピュータプログラムによって実装奏されてもよいことが理解されるだろう。このように、目下開示される発明の実施形態は、任意のこのようなコンピュータプログラムを備えるコンピュータプログラム製品を含み、またこのようなコンピュータプログラム製品を運ぶコンピュータ読み取り可能な媒体も含む。これらのコンピュータ読み取り可能な媒体は、例えば、コンピュータプログラム製品を有するコンピュータメモリのような非一時的実施形態を含む。
【００６６】
留意すべきこことに、開示された発明の変形例及び他の実施形態が、前述の説明及び関連する図面において提示された教示の利益を得た当業者の頭に浮かぶだろう。したがって、本発明は開示された特定の実施形態に限定されるのではなく、変形例及び他の実施形態が本開示の範囲に含まれることが意図されていることを、理解すべきである。本明細書では特定の用語が採用されているかもしれないが、それらは一般的にかつ記述の意図でのみ用いられており、限定する目的で用いられているのではない。
【図１】
0006567071.tif 000002
【図２】
0006567071.tif 000003
【図３】
0006567071.tif 000004
【図４】
0006567071.tif 000005
【図５Ａ】
0006567071.tif 000006
【図５Ｂ】
0006567071.tif 000007
【図５Ｃ】
0006567071.tif 000008
【図６】
0006567071.tif 000009
【図７】
0006567071.tif 000010
【図８】
0006567071.tif 000011
【図９】
0006567071.tif 000012
【図１０】
0006567071.tif 000013
【図１１】
0006567071.tif 000014
【図１２】
0006567071.tif 000015
【図１３】
0006567071.tif 000016
【図１４】
0006567071.tif 000017
【図１５】
0006567071.tif 000018
【図１６】
0006567071.tif 000019